(57)【特許請求の範囲】
【請求項１】
シリンダー錠（１）及びキー（２）の組み合わせであって、
前記キー（２）は、キーブレード（２００）を含み、その側面（２０１）において、それぞれがキーのコード要素を表す長手方向に間隔をおいてコード表面部を有する、長手方向に延びるコード化された側壁面（２０３）を有し、
前記シリンダー錠（１）は、
−シリンダーシェル（１４０）と、
−前記シェルに回転自在に取り付けられたキープラグ（１３０）と、
−前記キーブレード（２００）を受け入れるための、前記キープラグの回転軸に平行に沿って長手方向に延びたキースロット（１００）と、
−正確にコード化されたキーが前記キースロット内に挿入されない限り、前記シリンダーシェル内で前記キープラグが回転しないように施錠するために前記キープラグ内に設けられた少なくとも２つの側部タンブラー（１１３，１１４）であって、各側部タンブラーには、前記キースロット内に挿入される適切に形成されたキーブレードの前記コード化された側壁面（２０３）と係合するように前記キースロット内に側方から到達する接触指状突起（１１５，１１６）が備えられ、
−前記キープラグ（１３０）内の前記キースロット（１００）の横側に位置し、前記側部タンブラーがその中で昇降運動するために、該側部タンブラーを収容し、案内する、少なくとも一つの側部キャビティー（１２０）とを含む、
前記シリンダー錠（１）及び前記キー（２）の組み合わせにおいて、
−前記少なくとも２つの側部タンブラーは、隣接する２つの側部タンブラー（１１３，１１４）で一対をなし、その一対の各々は、前記キースロットの同じ側面側において、対応する側部キャビティー内に位置し、
−各対の前記隣接する側部タンブラー（１１３，１１４）は、対応する側部キャビティーにおいて直線的に案内されるがそれぞれ独立して移動可能であり、それにより各側部タンブラーは、それぞれの昇降位置に個別に直線的に移動でき、
−各対の隣接する側部タンブラー上のそれぞれの前記接触指状突起（１１５，１１６）は、同じ方向に向いた接触部を有し、
これら接触指状突起が、前記キースロットの同じ側面側において互いに長手方向に距離を置いて位置するように、キープラグの長手方向で軸方向に分離されており、
前記キースロット（１００）内に前記キーブレード（２００）を挿入した際、前記コード化された側壁面（２０３）の長手方向に近接し且つ間隔を開けて設けられた２つのコード化された表面部（２０４，２０５）と係合している時、前記接触指状突起は、特定で通常は異なるコード高さの昇降位置にそれぞれ位置し、
−これにより、前記キースロット（１００）内に前記キーブレード（２００）を挿入した際、前記少なくとも２つの側部タンブラー（１１３，１１４）は、それぞれ個別に特定の昇降コード位置に移動可能であり、前記昇降コード位置の各セットは、コード要素の数の増加にしたがって異なるキーコードを表し、一対の側部タンブラーは、２つのコード要素に対応している、
ことを特徴とする、シリンダー錠及びキーの組み合わせ。
【請求項２】
各対における各側部タンブラー（１１３，１１４）の１つ１つが、前記少なくとも一つの側部キャビティー（１２０）の対応部に案内され、これら側部タンブラーの接触指状突起（１１５，１１６）が前記側部キャビティーから前記キースロット内に外側に互いに平行に突出していることを特徴とする、請求項１記載のシリンダー錠及びキーの組み合わせ。
【請求項３】
前記一対の隣接する側部タンブラー（１１３，１１４）が、互いに補足する断面形状を有し、互いに合わせられると前記キャビティー（１２０）の断面と実質的に一致することを特徴とする、請求項２記載のシリンダー錠及びキーの組み合わせ。
【請求項４】
前記一対の前記隣接する側部タンブラー（１１３，１１４）の一部が、前記キャビティー（１２０）の壁部によって案内される一部円筒状の表面部であることを特徴とする、請求項３記載のシリンダー錠及びキーの組み合わせ。
【請求項５】
前記一対の前記隣接する側部タンブラーが、互いに滑動して係合する、互いに係合する表面部（１１３ａ，１１４ａ）を有することを特徴とする、請求項３記載のシリンダー錠及びキーの組み合わせ。
【請求項６】
前記互いに係合する表面（１１３ａ，１１４ａ）が、実質的に平面であることを特徴とする、請求項５記載のシリンダー錠及びキーの組み合わせ。
【請求項７】
前記キープラグ（１３０）が、１列に配された複数の側部キャビティー（１２０）を含み、それぞれの側部キャビティーが、互いが独立して移動可能な一対の隣接する側部タンブラーを収容する事を特徴とする、請求項１記載のシリンダー錠及びキーの組み合わせ。
【請求項８】
前記キープラグ（１３０）が、前記キースロットのいずれかの側面側に、側部キャビティー（１２０）内で一対の施錠タンブラー（１１３，１１４）を少なくとも１つ含むことを特徴とする、請求項１記載のシリンダー錠及びキーの組み合わせ。
【請求項９】
前記少なくとも２つの側部タンブラー（１１３，１１４）が、前記シリンダーシェル（１４０）内の長手方向に延びる収容部（１５１）に収容されているサイドバー（１５０）と協働し、前記サイドバー（１５０）は、通常では前記シェル内でキープラグを回転しないよう係止するように構成されており、さらに、前記キースロット（１００）内に適切にコード化されたキーブレード（２００）を挿入した際、開放位置に移動するように構成されていることを特徴とする、請求項１記載のシリンダー錠及びキーの組み合わせ。
【請求項１０】
前記接触指状突起（１１５，１１６）が、前記キーブレードの長手方向に延びる溝（２０２）に確実に案内されることを特徴とする、請求項２記載のシリンダー錠及びキーの組み合わせ。
【発明の詳細な説明】
【技術分野】
【０００１】
本発明は、シリンダー錠とキーの組み合わせに関し、当該組み合わせは、キーが、キーブレードを含み、その側面において、それぞれがキーのコード要素を表す長手方向に間隔をおいてコード表面部を有する、長手方向に延びるコード化された側壁面を有し、シリンダー錠が、シリンダーシェルと、そのシェルに回転自在に取り付けられたキープラグと、キーブレードを受け入れるための、キープラグの回転軸に平行に沿って長手方向に延びたキースロットと、正確にコード化されたキーがキースロット内に挿入されない限り、シリンダーシェル内でキープラグが回転しないように施錠するためにキープラグ内に設けられた少なくとも２つの側部タンブラーであって、各側部タンブラー（以下、タンブラーセグメントとも称する）には、キースロット内に挿入される適切に形成されたキーブレードのコード化された側壁面と係合するようにキースロット内に側方から到達する接触指状突起が備えられ、キープラグ内のキースロットの横側に位置し、側部タンブラーがその中で昇降運動するために、その側部タンブラーを収容し、案内する、少なくとも一つの側部キャビティーとを含む。
【背景技術】
【０００２】
このような錠は、下記特許文献１，２，３，４からすでに知られている（これら特許文献の出願人は全てWidenである）。これらの参考文献に開示されている錠において、各タンブラーアセンブリは、タンブラーから異なる角度方向か又は位置で外方に突出した指状突起部を有しており、これら指状突起の外方端部（接触部）の長手方向の配置は、長手方向、すなわちキースロットに対して平行な方向において、施錠タンブラーの通常の配置と異なる。
【特許文献１】米国特許文献  US 4,756,177
【特許文献２】米国特許文献  US 4,815,307
【特許文献３】米国特許文献  US 5,067,335
【特許文献４】米国特許文献  US 5,640,865
【０００３】
このようにして、コードの組み合わせの数を非常に多くすることができる。各タンブラーアセンブリは、対応するキャビティー内で昇降可能であり、さらにキースロットに沿った長手方向における接触部の特定の位置によってさらにコード化の可能性を広げることができる。
【０００４】
これらの公知の錠は、非常に多くのコードの組み合わせを提供し、さらにまたピッキングに対して高い安全性を提供する。
【発明の開示】
【発明が解決しようとする課題】
【０００５】
本発明の目的は、公知の錠と少なくとも同等な多くのコードの組み合わせを持ち、且つピッキングに対してさらに高い安全性を提供する施錠機構を有する、前述の種類の安全性の高い錠とキーの組み合わせを提供することである。
【課題を解決するための手段】
【０００６】
本発明では、この目的は、錠の少なくとも２つの側部タンブラーが、一対をなす隣接する２つの側部タンブラー（以下、タンブラーアセンブリとも称する）を構成し、その一対の各々は、キースロットの同じ側面側において、対応する側部キャビティー内に位置し、各対の隣接する側部タンブラーは、対応する側部キャビティーにおいて直線的に案内されるがそれぞれ独立して移動可能であり、それにより各側部タンブラーは、それぞれの昇降位置に個別に直線的に移動でき、
各対の隣接する側部タンブラー上のそれぞれの接触指状突起は、同じ方向に向いた接触部を有し、これら接触指状突起が、キースロットの同じ側面側において互いに長手方向に距離を置いて位置するように、キープラグの長手方向で軸方向に分離されており、キースロット内にキーブレードを挿入した際、コード化された側壁面の長手方向に近接し且つ間隔を開けて設けられた２つのコード化された表面部と係合している時、接触指状突起は、特定で通常は異なるコード高さの昇降位置にそれぞれ位置し、これにより、キースロット内にキーブレードを挿入した際、少なくとも２つの側部タンブラーは、それぞれ個別に特定の昇降コード位置に移動可能であり、昇降コード位置の各セットは、コード要素の数の増加にしたがって異なるキーコードを表し、一対の側部タンブラーは、２つのコード要素に対応している、ことにより達成される。
【０００７】
下記特許文献５には、各タンブラーアセンブリが一対の隣接したタンブラーセグメントからなる、同様の錠及びキーシステムについて開示されている。しかしながら、一対のこれらセグメントは、互いに反対方向に２つのセグメントに分割するように作用するスプリングによって互いが結合している。したがって２つのセグメントは動きが制限されている。また、対の対応する接触部は、互いに近接して位置している。従って、キーブレードのコード化された表面と適切に協働するために、接触部はほぼ同じ高さに位置しなければならない。
【特許文献５】米国特許文献  US2,155,734
【０００８】
対照的に、本発明の錠では、対の２つの側部タンブラーが多くの異なる相対的な位置に位置させることができる。１つの側部タンブラーの各上昇位置に対して、もう一方の側部タンブラーは様々な位置に位置させることができる。従って、コードの組み合わせの総数は非常に多くなる。さらに、対の接触部が互いに相対的に近くに位置しているので、それらが互いに軸方向に分割されても、一つの接触部を、もう一方を移動させること無く操作することは難しい。従って、錠はピッキングに対し非常に高い安全性を有する。
【０００９】
多くの異なる態様が、添付の従属請求項に記載しているように、本発明の一般的な概念の範囲内で可能である。
【００１０】
本発明はまたキーブレード及び対応するキーブランク（及び未加工の状態のキーブレード）に関し、このキーブレードは、その側面において、上述の錠の一対の隣接するタンブラーセグメントの各々の接触部と協働するための少なくとも一対の隣接するコード表面部を有する長手方向に延びたコード化された表面を有する（又は、キーブランクにおいては、隣接するコード表面部の一対を切削するための少なくとも一つの未加工部を有する）。
【００１１】
本発明をさらに、発明のいくつかの好ましい態様を図示する以下の添付図を参照して説明する。
【００１２】
図１に示す錠とキーの組み合わせは、シリンダーロック１及び錠のキースロット１００に挿入可能なキーブレード２００を有するキー２を含む。キーブレード２００の輪郭は、図５に横断面として示され、通常、キースロット１００の輪郭に対応する。
【００１３】
シリンダー錠は、上述の米国特許文献に記載のものと類似の種類のものであるが、図１中に点線で示されるようにタンブラーが中心に位置しておらず、１つのタンブラーアセンブリ１１０（図２及び３も参照）だけの簡略版である。タンブラーアセンブリ１１０は、図４及び５に明確に示すように、キースロット１００の横側に位置する。タンブラーアセンブリ１１０は、円筒状シェル１４０内の円筒状収容部１４１内で回転自在である円筒状キープラグ１３０内に位置するキャビティー１２０に案内される。
【００１４】
施錠機能、すなわち円筒状シェル１４０内でのキープラグ１３０の回転に対する係止は、フェンス部材又はサイドバー１５０によって行われる。図１に図示するように、サイドバー１５０は、円筒状シェル内に長手方向に伸びる収容部１５１（図５）内に嵌合するように、半径方向外方に向かってバネによって荷重がかけられている。サイドバー１５０は、タンブラーアセンブリ１１０が、サイドバー１５０を相互に整列した凹部１１１，１１２中に嵌合することができる、キープラグに適切にコード化されたキーブレードが挿入されるような方法で、適切な場所に置かれない限り、施錠位置（図４）に保たれている。図２に図示する位置では、しかしながら、これら凹部１１１，１１２は整列しておらず、従ってサイドバー１５０はキープラグの回転を妨げる位置（図４）から動くことができない。
【００１５】
本発明では、タンブラーアセンブリ１１０は、一対の隣り合ったタンブラーセグメント１１３，１１４からなり（図３を参照）、それらは、同じキャビティー内に案内されるが、その中で互いに独立して昇降可能である。これら２つのタンブラーセグメント１１３，１１４が別個に動くことができるので、凹部１１１，１１２が相互に整列するようにこれらタンブラーセグメントを個別に移動させることができる。そのように整列した際に、図５に示すように、サイドバー１１５が、整列した凹部１１１，１１２中に導かれる。従って、凹部１１１，１１２の整列した際に、サイドバー１５０は、キープラグ１３０に回転させる力を加えることによって、この開放位置に動かすことができる。サイドバー１５０は、バネ１５２の作用に対抗して半径方向内方に向かって強制的に動かされる。
【００１６】
２つのタンブラーセグメント１１３，１１４は、好ましくは、キャビティー１２０の各々の部分を占有するための、及びキャビティーの中心軸に対して傾斜又は回転しないように確実にこのキャビティー内に案内されるよう、互いに補足する断面形状を有する。本態様において、キャビティー１２０は円筒状であり、タンブラーセグメント１１３，１１４は、キャビティー１２０の円筒状の壁によって案内される一部円筒状の表面を有する。対の２つのタンブラーセグメント１１３，１１４はまた、相互に接触する表面部１１３ａ，１１４ａを有し、そこで相互に滑動する。図示する態様において、これら相互に接触する表面部は平面であるが、接触して滑らせるようなどのような他の幾何学的な形状であっても良い。また、キャビティーは、いくつかの他の横断面形状、例えば矩形であっても良く、タンブラーセグメントは、確実にキャビティー内へ良好に案内するような形状に適合させても良い。
【００１７】
施錠タンブラーアセンブリ１１０の分割タンブラーセグメント１１３，１１４は、実質的にはキーブレードの平面側の表面２０１において、溝２０２に長手方向に延びるコード化された表面２０３を有したキーブレード２００によって動かされる。溝２０２は、底部壁及び上下側壁とを有する。下方側壁２０３は、本態様では２つの隣り合うコード表面部２０４，２０５を含む、波状にコード化された表面を形成する。これらコード表面部２０４，２０５は、各タンブラーセグメント１１３，１１４上で、外方へ突出している指状突起１１５，１１６の形をした、各々の接触部を受けるために設計されている。図示する態様において、各接触部又は指状突起は、相対的に広い基部１１５ａ，１１６ａをそれぞれ有し、さらに相対的に狭く、実質的には円筒状の自由端部１１５ｂ，１１６ｂをそれぞれ有する。キーブレード２００が錠１のキースロット１００に挿入されたとき、指状突起１１５，１１６は、溝２０２に確実に案内される。完全に挿入された位置では、指状突起１１５，１１６は、隣り合うコード表面部２０４，２０５に位置し、これによって、凹部１１１，１１２が整列させられ、サイドバー１５０がキープラグ１３０への回転させるトルクを加えた際、これら凹部に移動させられ、その結果キープラグ１３０は図５に示すようにキー２を回すことによって回転させることができる。
【００１８】
図示する態様において、長手方向に延びる溝２０２は、指状突起１１５，１１６のそれぞれを確実に案内できるよう実質的に平行な上下側壁を有する。これとは別に、溝２０２は、それぞれの指状突起の端部１１５ｂ，１１６ｂの直径よりもかなり広く形成しても良い。後者の場合、指状突起は好ましくは、下部のコード化された側壁２０３及びコード化された表面部２０４，２０５とスライドさせて係合するように、バネにより力を加える（図８及び９参照）。
【００１９】
図６に示すような、錠とキーの組み合わせの第二の態様において、キーブレード２００'（図６ｂ）は、両側に溝２０２'が供されている。これらの溝は所望であればアンダーカットしても良い（図１１，１２参照）。
【００２０】
図６ａの錠には、キープラグ１３０内の中央のキースロット１００の各横側にキャビティー１２０，１２１がある。キャビティ１２０，１２１にはそれぞれ、図２及び３に示した種類の２つの独立して移動するタンブラーセグメント１１３，１１４からなるタンブラーアセンブリ１１０が配されている。各タンブラーアセンブリ１１０は、上述した方法で、サイドバー１５０と協働する。
【００２１】
図６ａの態様において、キーブレード２００'（図６ｂ）は、対称であり、従って、それは上下逆にしても、キースロット１００とそれぞれのタンブラーアセンブリ１１０の指状突起１１５，１１６が協働して適切に機能することができる。
【００２２】
図７に図示するように、錠は、長手方向に並んだタンブラーアセンブリ１１０（一列に５つ）を有しても良く、この場合、各タンブラーアセンブリが、対応した接触部又は指状突起１１５，１１６を持つ独立して移動する一対のタンブラーセグメント１１３，１１４を有している。キーブレード２００を錠に挿入したとき、全ての指状突起１１５，１１６が、この場合、特定のコードレベルにそれぞれ位置している１０個の異なるコード表面部を持つ長手方向に延びたコード化された溝２０２によって確実に案内される。これらのコード表面部２０４，２０５は、５つの組に分類され、おのおの２つの隣接するコード表面部２０４，２０５からなる。コード表面部２０４の特定のレベル（高さ）に対し、隣接するコード表面部２０５は、少なくとも２つ、又は３つ、４つ、５つ、若しくはさらにそれ以上の数の異なるレベルに位置しても良い。従って、コードの組み合わせの総数は膨大な数になる。もちろん、コードの組み合わせの総数は、図７の符号２０６に示すようにキーブレード２００の長手方向の頂縁部面に通常のコードパターンを供することによってもまた、実質的に増加させても良い。タンブラーアセンブリ１１０を長手方向に並べた本第三の態様でさえ、錠のキースロットの各横側にそのような（図６ａに示す態様と同様の）列があっても良い。
【００２３】
上述したように、各タンブラーセグメント１１３，１１４は、図８及び９に示すように、各タンブラーセグメント１１３，１１４の頂端部の穴１１８に収容したらせん状のバネ１１７によって、バネにより力を加えても良い。図９では、キースロット１００内で中央タンブラー１３１（そのタンブラーの長手方向の列のうちの１つ）がキーブレード２００の縁部のコード化された切れ目又はくぼみ２０６と協働するように示されている。
【００２４】
図１０に示す部分縦断面においては、各タンブラーセグメント１１３，１１４及びそれに対応する幅の広い指状基盤基部１１５ａ，１１６ａ及びキーブレード２００は露出している。キープラグ１３０がシリンダーシェル１４０内で回転しないように係止するために、対応するタンブラーセグメント１１３，１１４と接触を保ち且つその動きに対応する、上部タンブラー又はピン１１３'（図示せず）及び１１４'を用いることが可能である（図１１及び１２参照）。図１２に示すような特定の上昇位置において、タンブラーセグメント１１４及びそれに対応する上部ピン１１４'の係合面がシャーライン（shear line）に位置し、それによってキープラグ１３０をシェル１４０内において回転させることができる。
【００２５】
本第四の態様において、キーブレード２００は、アンダーカットされた溝２０２''を有し、この溝はこれに嵌合する下方に突出した部分１３３を有する対応する輪郭の舌部１３２と協働する。
【００２６】
上述の全ての態様及び変型例において、一対のタンブラーセグメント１１３，１１４からなる少なくとも１つのタンブラーアセンブリ１１０が配されており、一対のそれらタンブラーセグメントは、キーブレード２００が錠に挿入された時、キーブレードのコード化された溝２０２が（それと対応した接触部又は指状突起と）係合し、互いが独立して上昇可能である。従って、上述したように、非常に多数のコードの組み合わせが得られ、錠はピッキングに対し非常に高い安全性を有する。
【００２７】
更なる変型例は、特許請求の範囲の範囲内で可能である。タンブラーセグメント１１３，１１４は、２つの互いに係合する実質的に平坦な表面１１３ａ，１１４ａ（図３）を有し、実質的に半円筒状に例示している。もちろん、２つのタンブラーセグメントが対応するキャビティー１２０に適切に案内され、キーブレードのコード化された表面が、接触部又は指状突起と係合している間、互いに独立して動くことが可能である限り、他の幾何学的な形状に形成することもまた可能である。
【００２８】
キーブレードには、様々な種類のタンブラー構造に対応するコード化された刻み目及び／又はくぼみを他の表面上に設けることが可能であり、例えばこれらコード化された刻み目及び／又はくぼみは、図６ａの中央に位置するピンタンブラー（図示せず）と協働する図６ｂのキーブレードの各縁部上に形成したコード化されたくぼみであっても良い。
【００２９】
溝２０２の代わりに、コード化された表面を、キーブレードの最も幅の広い基部とその上方に位置する幅の狭い部分との間で段を形成する表面に形成しても良い。
【００３０】
外方に突出した指状突起１１５，１１６は、そのタンブラーの端部に位置する必要はなく、タンブラーの両端部の間のどこに位置しても良い。そのような態様を図１４，１５及び１６に示す。この態様では、タンブラーセグメント１１４は、キープラグ１３０に対応する長さ（又は高さ）を有する。キャビティー１２０は、シェル１４０内の対応する円筒状キャビティーと隣接している。タンブラーセグメント１１４は、図１５に示す位置に正確に位置しない限り、回転に対してキープラグを係止する。従って、タンブラーセグメント１１４が、図１５に示す位置に正確に位置すれば、キープラグは、キーブレード２００を回すことによって回転させることができる。
【００３１】
さらに、タンブラーセグメント１１３，１１４の接触部は、指状に形成する必要はなく、キーブレードのコード化された表面と係合できるように接触部がキースロット内に届く限りは、他のどのような幾何学的形状であっても良い。また、接触部は外方に横向きに突出する必要はない。接触部はそれ自身が（円筒状の）タンブラーセグメントの一部を形成してさえも良い。
【００３２】
上述したように、キャビティーは、楕円形、矩形又は多角形のような異なる断面形状を有していても良く、２つのタンブラーセグメントは、従ってそのような形状に適合させなくてはならない。
【００３３】
キャビティー（及びタンブラー部の昇降移動方向）は、キースロットの中央面に対し、どのような角度（0−90度）を有していても良い。
【００３４】
さらに、特許請求の範囲に記載された施錠機構は、同様の錠において、他の施錠機構と組み合わせても良い。本発明による一つの施錠機構を、キースロットの一方の側部に配しても良く、さらに別の機構を、キースロットの他方の側部に配しても良く、この場合、この別の機構は本発明のものであっても良い。上述したように、従来の施錠タンブラーピンをまた、キースロットの上方で中心に位置するように配しても良い。
【００３５】
本発明の最も実用的な態様（操作の信頼性だけでなく、製造及び許容度の観点から）において、各施錠タンブラーアセンブリが一対のタンブラーセグメントからなることが好ましい一方、それらの間に中間の又は第三のタンブラーセグメントを加えることが考えられる。
【図面の簡単な説明】
【００３６】
【図１】本発明による第一のシリンダー錠とキーの組み合わせの斜視図を示し、この態様では、タンブラーアセンブリを一つだけ有している幾分簡単な態様であり、より判り易くするためにシリンダーシェルの一部を切り欠いて示している。
【図２】図１の錠の中に含まれたタンブラーアセンブリの拡大図。
【図３】２つに分割した図２のタンブラーアセンブリを示す。
【図４】図１の錠の横断面図。
【図５】図４に対応する横断面を示し、ここでは錠のキープラグが、挿入したキーによって回転した状態に示されている。
【図６ａ】２つのタンブラーアセンブリを有した錠の第二の態様の横断面を示し、ここではキースロットの各側に１つずつ配されている状態を示している。
【図６ｂ】図６ａの錠に対応するキーブレードの横断面図。
【図７】錠とキーブレードの第三の態様の略図を示し、ここでは５つのタンブラーアセンブリが一列に並んで配されている（錠の残りの部分は示していない。）。
【図８】変更された態様のタンブラーアセンブリを示す（バネ押し式のタンブラーセグメントを含む。）。
【図９】図８に示すようなタンブラーアセンブリを含む錠の横断面図。
【図１０】図７の錠とキーブレードの縦断面図。
【図１１】本発明による錠の第四の態様の横断面図。
【図１２】図１１に対応する横断面を示し、ここではキープラグが、挿入したキーブレードによって回転した状態に示されている。
【図１３】図１１の錠に含まれるタンブラーアセンブリを別に示す。
【図１４】本発明による錠の第五の態様の横断面図。
【図１５】図１４に対応する横断面を示し、ここでは挿入されたキーブレードによって錠のキープラグが回転した状態に示されている。
【図１６】図１４及び１５の錠中に含まれるタンブラーアセンブリを別に示す。
【符号の説明】
【００３７】
１…………………………シリンダー錠
２…………………………キー
１００……………………キースロット
１１０……………………タンブラーアセンブリ
１１１，１１２…………凹部
１１３，１１４…………タンブラーセグメント
１１３ａ，１１４ａ……互いに係合する表面部
１１５，１１６…………指状突起
１２０，１２１…………キャビティー
１３０……………………キープラグ
１４０……………………シリンダーシェル
１５０……………………サイドバー
１５１……………………収容部
２００……………………キーブレード
２０１……………………側面
２０２……………………溝
２０３……………………コード化された表面
２０４，２０５…………コード表面部
【図１】
0004048177.tif 000002
【図２】
0004048177.tif 000003
【図３】
0004048177.tif 000004
【図４】
0004048177.tif 000005
【図５】
0004048177.tif 000006
【図６ａ】
0004048177.tif 000007
【図６ｂ】
0004048177.tif 000008
【図７】
0004048177.tif 000009
【図８】
0004048177.tif 000010
【図９】
0004048177.tif 000011
【図１０】
0004048177.tif 000012
【図１１】
0004048177.tif 000013
【図１２】
0004048177.tif 000014
【図１３】
0004048177.tif 000015
【図１４】
0004048177.tif 000016
【図１５】
0004048177.tif 000017
【図１６】
0004048177.tif 000018